(57)【要約】      （修正有）【課題】アクリル系樹脂の剥離に要する時間を飛躍的に短くすることができる剥離用具のセットを提供する。【解決手段】有機溶剤の樹脂への浸透力と超音波のキャビテーション効果を利用した用具セットであり、爪に塗布したアクリル系樹脂の表面を荒化させる研磨機と、アクリル系樹脂に浸透しアクリル系樹脂を柔化させる有機溶剤混合液２と、有機溶剤混合液のアクリル系樹脂への浸透を促進させる超音波洗浄機３と、柔化した爪上のアクリル系樹脂を削落させるヘラとからなる。研磨機は扱いやすく効率的に作業ができるハンドピ−ス又は回転鑢を、有機溶剤混合液はアクリル系樹脂に浸み込みやすいアセトンと皮膚の保脂に有用なキューティクルオイルとの混合液を、ヘラは削取力が強い金属製とするのが好ましい。【選択図】図２
0003196636.tif 000002
【実用新案登録請求の範囲】
【請求項１】
爪に塗布したアクリル系樹脂の剥離を目的とする用具セットであって、
前記爪に塗布したアクリル系樹脂の表面を荒化させる研磨機と、
前記爪に塗布したアクリル系樹脂に浸透し前記アクリル系樹脂を柔化させる    有機溶剤混合液と、
前記有機溶剤混合液を受け入れ前記有機溶剤混合液の前記アクリル系樹脂への浸透を促進させる超音波洗浄機と、
前記有機溶剤混合液の浸透により柔化した爪上のアクリル系樹脂を削落させるヘラと、
からなることを特徴とする用具セット。
【請求項２】
前記爪に塗布したアクリル系樹脂の表面を荒化させる研磨機はハンドピ−ス又は回転鑢であることを特徴とする請求項１記載の用具セット。
【請求項３】
前記有機溶剤混合液はアセトンとキューティクルオイルとの混合液であることを特徴とする請求項１又は２記載の用具セット。
【請求項４】
前記爪上のアクリル系樹脂を削落させるヘラは金属製であることを特徴とする請求項１乃至３のいずれかに記載の用具セット。
【考案の詳細な説明】
【技術分野】
【０００１】
本考案は、爪に塗布したアクリル系樹脂の剥離を目的とする用具セットに関する。
【背景技術】
【０００２】
美容装飾の一環として、ジェルネイルと呼ばれるアクリル系樹脂を爪に塗布する施術が行われている。これを剥離するための用具として、綿布、アセトン等の有機溶剤、アルミホイル、竹棒等、ネイル用やすり等の用具が複合的に使用される。
【０００３】
上記用具を使用した一般的な剥離方法は以下のとおりである。
ジェルネイル表面に金属の刃で傷をつけ、アセトン等の有機溶剤を浸した綿布を当ててアルミホイルでくるむ。これにタオル等を巻き温める。相当時間経過後に柔化した樹脂を竹棒で少しずつそぎ落とす。最後にネイル用やすりで爪の表面を擦って残った樹脂を落とす。
【先行技術文献】
【特許文献】
【０００４】
【特許文献１】特開２００６−３１２５９６号
【特許文献２】実用新案登録第３１８４１６５号
【考案の概要】
【考案が解決しようとする課題】
【０００５】
上述したように、アクリル系樹脂の剥離については、アセトン等の有機溶剤による化学反応と、竹棒やヤスリ等による物理的除去とを組み合わせた方法が一般的であるが、この方法は長い時間と手間がかかり迂遠である。
【０００６】
特許文献１には、マニキュア用有機溶媒系中に塗膜剥離剤を混合することにより剥離が容易であるネイルマニキュアの発明が開示されている。しかしながら、剥離剤を混合したマニキュアは接着力が弱く、施術後短い時間で剥がれてしまうため、繰り返しの施術が必要となる。
【０００７】
また、特許文献２には、不織布にゲル状アセトンを滲みこませた構成のジェルネイル除去シートの考案が開示されている。しかし、該除去シートの使用によって必要な用具の種類は減少するものの、アセトンによる化学反応に要する時間は短くならない。また、除去シートを爪の上に載せるといった方法ではシートが爪表面に完全に密着されない、温湿布が難しいとの理由により、アセトンによる化学反応が十分行われず、結局のところ、その後の竹棒等による物理的除去作業に要する時間がさらに長くなってしまう可能性が高い。
【０００８】
実際、技術的に高いレベルにあるネイルサロン等においては、顧客の満足度を高めるために、ジェルネイルによる美容が１ヵ月程度持続するように施術するところも多く、このような密着度が高いジェルネイルの剥離には、益々時間と手間を要するようになってきている。通常、ネイルサロンにおけるジェルネイル剥離サービスに要する時間は、４５分から１時間程度であるが、サービスの性質上、それに見合った価格を客に提示できないといったサービス提供者側の問題があった。
【０００９】
一方、被施術者の側においても、アセトンは人体にとって有害物質ではないが、油分、水分両方によく溶けるため、長時間指を浸しておくと指先が皮膚枯燥の状態になりやすい。この観点からも、アセトンを使用してのアクリル系樹脂の剥離に要する時間は短くする必要がある。
【００１０】
上述の問題に鑑み、本考案は、アクリル系樹脂の剥離に要する時間を飛躍的に短くすることができる剥離用具のセットを提供することを課題とする。
【課題を解決するための手段】
【００１１】
上記課題を解決するために、本考案は、有機溶剤の樹脂への浸透力と超音波のキャビテーション効果を利用した用具セットであり、爪に塗布したアクリル系樹脂の表面を荒化させる研磨機と、爪に塗布したアクリル系樹脂に浸透し前記アクリル系樹脂を柔化させる有機溶剤混合液と、前記有機溶剤混合液を受け入れ前記有機溶剤混合液の前記アクリル系樹脂への浸透を促進させる超音波洗浄機と、前記有機溶剤混合液の浸透により柔化した爪上のアクリル系樹脂を削落させるヘラと、からなることを特徴とする
【００１２】
前記爪に塗布したアクリル系樹脂の表面を荒化させる研磨機は、扱いやすく又効率的に作業ができるハンドピ−ス又は回転鑢であることが好ましい。また、前記有機溶剤混合液は、アクリル系樹脂に浸み込みやすいアセトンと、皮膚の保脂に有用なキューティクルオイルとの混合液であることが好ましい。さらに、前記爪上のアクリル系樹脂を削落させるヘラは、削取力が強い金属製のものが好ましい。
【００１３】
本用具セットの使用は以下の手順による。
（１）研磨機で爪上のアクリル系樹脂に傷をつける。
（２）超音波洗浄機に有機溶剤混合液を注ぎ、その中に爪を浸し、スイッチをオンにする。
（３）３分後、液から指を出し、柔化して浮きあがったアクリル系樹脂を、ヘラを使用して爪から剥離する。
【考案の効果】
【００１４】
本考案に係る用具セットの使用により、従来ネイルサロンで４５〜６０分を要していたアクリル系樹脂の爪表面からの剥離が１５分程度で終了できるようになる。
【００１５】
剥離に要する作業時間の大幅な短縮により、ネイルサロンは利益効率が低い無駄な時間を減らすことができ、客も余計な出費をなくすことができる。
【００１６】
剥離に要する作業時間の大幅な短縮により、被施術者は指をアセトン溶剤に浸している時間が減少するため、指先が皮膚枯燥の状態になる可能性が減少する。
【００１７】
超音波のキャビテーション効果により、アクリル系樹脂の爪表面からの分離が効果的に行われるため、脱液後の金属ヘラによる物理的除去作業が容易になる。このため、ヘラで爪を傷つけてしまう心配がほとんどなくなる。
【図面の簡単な説明】
【００１８】
【図１】ハンドピースの使用法を示す画像である。
【図２】アセトンとキューティクルオイルの混合液と超音波洗浄機の使用法を示す画像である。
【図３】脱液後のジェルと爪の状態を示す画像である。
【図４】（Ａ）金属ヘラの使用法を示す画像である。（Ｂ）剥離完了後の爪の状態を示す画像である。
【考案を実施するための形態】
【００１９】
本考案に係る用具セットとそれらの使用法について、画像を用いて説明する。本実施形態においては、剥離対象のアクリル系樹脂はジェルネイルの通称で知られる「ジェル」とし、用具セットは研磨機としてハンドピースを、有機溶剤混合液はアセトンとキューティクルオイルとの混合液を、ヘラは金属製のものを使用する。また、超音波洗浄機は安価に入手可能な市販のものをとする。
【００２０】
最初に、図１に示すように、ハンドピース１を爪に対して斜めにあて、ジェルの表面を幅広く荒化させる。表面を凸凹にして液が浸み込みやすくするためである。
【００２１】
つぎに、アセトンとキューティクルオイルの混合液２を超音波洗浄機３に注入するが、図２に示すように、洗浄機３の保護と安全確保のため、混合液２は直接超音波洗浄機３に入れず、ガラス製又はセラミック素材の容器６を超音波洗浄機３にセットしてから、その中に液２を入れる構成とすることが望ましい。また、容器６は混合液２を入れる前に、摂氏３５度から４０度程度のぬるま湯を入れて温めておくことが望ましい。液のキャビテーション効果を効果的なものとするためである。キューティクルオイルは皮膚の保脂のためであるので、同様の効果を有するものであれば代用が可能である。
【００２２】
入液する前に、指先の爪以外の部分にクリームやオイルを塗っておくことが望ましい。アセトンの脱脂効果を最小限にするためである。指を混合液２に入れ、超音波洗浄液３をオンにする。剥離状況を確認しながら時間を調節する。通常２〜３分で剥離が始まり、ジェルが固く厚い場合でも、５分前後で完了する。
【００２３】
図３が脱液後のジェルと爪の状態である。超音波洗浄機３を使用せずに施術した場合と比べて剥離の度合いが大きく、薄皮がむけるように、ジェルが爪の表面に浮き上がる。
【００２４】
最後に、金属ヘラを使用し、ジェルを斜めに軽く押せば剥離が完了する（図４Ａ）。アセトンには、保脂・保湿効果を有するキューティクルオイルが混合されているため、アセトンだけの場合と比べて、美しい爪となっている（図４Ｂ）。
【００２５】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。特に請求項１の考案においては、研磨機及びヘラの形状・素材・機能、有機溶剤混合液の種類について様々の実施形態が可能であり、それらについての本実施形態と異なる形態又は方法による実施は、各用具の使用目的が異ならない限りにおいて、本考案の技術的範囲に含まれるものと解する。
【符号の説明】
【００２６】
１    ハンドピ−ス
２    アセトン・キューティクルオイル混合液
３    超音波洗浄機
４    ヘラ
５    アクリル系樹脂(ジェル)
６    容器
【図１】
0003196636.tif 000003
【図２】
0003196636.tif 000004
【図３】
0003196636.tif 000005
【図４】
0003196636.tif 000006